(57)【要約】      （修正有）【課題】ポールガイドとシートカバーの間の隙間発生を防止して、組立時はもちろんのこと、車両の長期間の使用にも継続的に組立部の美麗な品質を安定に確保し、組立性が相対的に優秀であり、多段式でヘッドレストのポール高さを支持して、ヘッドレストの乗客頭部の支持機能に対する機能的安全性を確保することにより、究極に車両の商品性を向上させるようにしたヘッドレストポールガイドを提供する。【解決手段】シートカバーの内側において前記シートカバーの内側面と接触する上側面を備えた状態でシートバッグに固定され、内部にポールが挿入される中空部を備えた本体部５と、前記本体部５の上側に位置し、前記本体部５との間に前記シートカバーが挟まるように前記本体部５に対して固定され、前記ポールの相対位置を固定するか解除するようにする高さ調節レバー７を備えたヘッド部９と、を含むことを特徴とする。【選択図】図２
2014051262.tif 000002
【特許請求の範囲】
【請求項１】
シートカバー１の内側において前記シートカバー１の内側面と接触する上側面を備えた状態でシートバッグに固定され、内部にポール３が挿入される中空部２１を備えた本体部５と、
前記本体部５の上側に位置し、前記本体部５との間に前記シートカバー１が挟まるように前記本体部５に対して固定され、前記ポール３の相対位置を固定するか解除するようにする高さ調節レバー７を備えたヘッド部９と、
を含んでなることを特徴とする、ヘッドレストポールガイド。
【請求項２】
前記本体部５と前記ヘッド部９の間には、上側が前記ヘッド部９に連結され下側が前記シートカバー１を貫いて前記本体部５に結合される連結部１３がさらに備えられることを特徴とする、請求項１に記載のヘッドレストポールガイド。
【請求項３】
前記連結部１３の下側には、前記シートカバー１を貫いて下側に向かって突出し、相互の中心から外側に折り曲げられた形状の締結フック１５が多数備えられ、
前記本体部５には、前記締結フック１５が締結して固定されるように多数のフック孔１７が備えられることを特徴とする、請求項２に記載のヘッドレストポールガイド。
【請求項４】
前記ヘッド部９は、中央に前記ポール３が貫くように前記本体部５の中空部２１に連通する挿入ホール１９が備えられ、前記挿入ホール１９の周辺部２３が前記本体部５の上側面と向い合って前記シートカバー１を上下方向に圧搾するように形成され、
前記本体部５には、前記上側面が形成されて前記ヘッド部９の周辺部２３との間に前記シートカバー１を圧搾するフランジ部２５が備えられ、前記フランジ部２５から下側に伸びて前記ポール３の直線スライド運動をガイドするガイド部２７が一体に備えられることを特徴とする、請求項２に記載のヘッドレストポールガイド。
【請求項５】
前記本体部５のフランジ部２５は前記ガイド部２７に対して斜めに傾いた上側面を形成することを特徴とする、請求項４に記載のヘッドレストポールガイド。
【発明の詳細な説明】
【技術分野】
【０００１】
本発明は車両のシートに設置されてヘッドレストを支持及びガイドするポールガイドに係り、より詳しくはシートバッグに対するヘッドレストの高さを多段で調節可能にガイドするポールガイドの構造に関する。
【背景技術】
【０００２】
車両では、車両のシート搭乗者の下側を支持するシートクッションと前記シートクッションに連結して搭乗者の背中を支持するシートバッグとを備えており、前記シートバッグの上側にはヘッドレストが備えられて搭乗者の後頭部を支持するようにしている。
【０００３】
前記ヘッドレストは搭乗者の身長などの身体条件によって高さを調節することが便利なので、通常、前記シートバッグの内部にポールガイドを内蔵し、前記ポールガイドによって上下方向に直線状にガイドされるポールの上側ヘッドレストを備える構成を有する。
【０００４】
前記ヘッドレストのポールと前記ポールガイドの支持構造は大別して無段式と多段式に区分することができる。多段式は前記ポールガイドに対する前記ポールの上下方向直線移動が一定距離ごとに係止構造によって固定され、多段でヘッドレストの高さを調節するようになっており、無段式はこのような段の区分なしに上下方向に所望程度だけ直線移動させる構成である。
【０００５】
前記無段式は構成が比較的簡単であるが、車両事故時などのように搭乗者の頭部がヘッドレストに加える荷重が大きな場合には、その位置をまともに維持することができず搭乗者の頭部を効果的に支持することができない欠点がある。これに対し、前記多段式はその構造は多少複雑になるが、事故時などのように大きな衝撃がヘッドレストに加わってもその固定された高さを安定的に維持することができるので、搭乗者の頭部をより安定に支持することができるという利点がある。
【０００６】
図１は従来の多段式ヘッドレストポールガイドにポールが挿入された状態を示すもので、前記ポールガイド５００は単一部品で構成され、シートバッグ５０２の上側からシートカバー５０４を貫いて下側に押し込まれて組み立てられた構造であり、前記ポール５０６には多段で位置が固定されるように上下方向に多数の係止溝５０８が形成され、前記ポールガイド５００の上側に形成されたフランジ部には、使用者の操作によって前記ポール５０６の係止溝５０８を前記ポールガイド５００に対して弾性的に固定してから解除することができるようにされた高さ調節レバー５１０が備えられた構成である。
【０００７】
ところが、前記のような構造のヘッドレストポールガイドは、図１に示すように組み立てられた状態で車両の使用によって前記ポールガイド５００の上側フランジ部５１２とその下側のシートカバー５０４の間に遊隔が発生しやすく、場合によっては最初の組立状態でも前記フランジ部５１２とその下側のシートカバー５０４の間に隙間が発生し外観が美麗でなく外観と安全性が低下する問題点がある。
【０００８】
このような発明の背景となる技術として説明した事項は本発明の背景についての理解のためのものだけであり、この技術分野で当業者に既に知られた従来技術に属するものとして受け入れられてはならない。
【先行技術文献】
【特許文献】
【０００９】
【特許文献１】大韓民国特許公開第１０２０１０００４９４５７Ａ号明細書
【発明の概要】
【発明が解決しようとする課題】
【００１０】
本発明は前記のような点に鑑みてなされたものであって、本発明の目的は、ポールガイドとシートカバーの間の隙間発生を防止して、組立時はもちろんのこと、車両の長期間の使用にも継続的に組立部の美麗な品質を安定に確保し、組立性が相対的に優秀であり、多段式でヘッドレストのポール高さを支持することにより、ヘッドレストの乗客頭部の支持機能に対する機能的安全性を確保し、究極的に車両の商品性を向上するようにしたヘッドレストポールガイドを提供することにある。
【課題を解決するための手段】
【００１１】
このような目的を達成するための本発明のヘッドレストポールガイドは、シートカバーの内側において前記シートカバーの内側面と接触する上側面を備えた状態でシートバッグに固定され、内部にポールが挿入される中空部を備えた本体部と、前記本体部の上側に位置し、前記本体部との間に前記シートカバーが挟まるように前記本体部に対して固定され、前記ポールの相対位置を固定するか解除するようにする高さ調節レバーを備えたヘッド部と、を含んでなることを特徴とする。
【発明の効果】
【００１２】
本発明はポールガイドとシートカバーの間の隙間発生を防止して、組立時はもちろんのこと、車両の長期間使用にも継続的に組立部の美麗な品質を安定に確保し、組立性が相対的に優秀であり、多段式でヘッドレストのポール高さを支持することにより、ヘッドレストの乗客頭部の支持機能に対する機能的安全性を確保して、究極的に車両の商品性を向上する効果がある。
【図面の簡単な説明】
【００１３】
【図１】従来技術によるヘッドレストポールガイドの設置構造を説明する断面図。
【図２】本発明によるヘッドレストポールガイドの分解斜視図。
【図３】図２のポールガイドを組み立てる過程を説明する図。
【図４】本発明によるヘッドレストポールガイドの設置構造を説明する断面図。
【発明を実施するための形態】
【００１４】
図２〜図４を参照すれば、本発明の実施例は、シートカバー１の内側において前記シートカバー１の内側面と接触する上側面を備えたままでシートバッグに固定され、内部にポール３が挿入される中空部２１を備えた本体部５と、前記本体部５の上側に位置し、前記本体部５との間に前記シートカバー１が挟まるように前記本体部５に対して固定され、前記ポール３の相対位置を固定するか解除するようにする高さ調節レバー７を備えたヘッド部９とを含む。
【００１５】
すなわち、シートの外部をくるむシートカバー１より内側に前記本体部５が結合された状態で、前記シートカバー１を挟んでその外側に前記ヘッド部９が結合されて前記シートカバー１を上下から圧搾して、シートカバー１の挟まった状態を確保することにより、前記シートカバー１とポールガイド１１間の隙間が、最初の組立時にはもちろんのこと、車両の長期間の使用にも生ぜず常に堅固な組立状態を維持するようにして、外観美が落ちることを防止する。
前記ヘッド部９に備えられた高さ調節レバー７は前記ポール３を介して結合されるヘッドレストの高さを多段で堅固に固定するようにして、事故時に前記ヘッドレストに加わる衝撃に対しても堅固に支持して乗客の安全性を一層向上させるようにしたものである。
【００１６】
前記ヘッド部９はそれ自身に直接前記シートカバー１を貫いて前記本体部５に結合される結合部などを備えることもできるが、本実施例においては、前記本体部５と前記ヘッド部９の間に、上側が前記ヘッド部９に連結され下側が前記シートカバー１を貫いて前記本体部５に結合される連結部１３をさらに備えるようにした。
【００１７】
前記連結部１３の下側には、前記シートカバー１を貫いて下側に向かって突出し、相互の中心から外側に折り曲げられた形状の締結フック１５が多数備えられ、前記本体部５には前記締結フック１５が締結して固定されるように多数のフック孔１７を備えた構造である。
【００１８】
したがって、組立の際には、図３に示すように、前記本体部５が前記シートカバー１の内側シートバッグに予め結合された状態で、前記シートカバー１の外側から前記連結部１３の締結フック１５が前記シートカバー１を貫いて前記フック孔１７に締結されるように加圧することにより、簡単で容易に組立を完了するようになる。
【００１９】
もちろん、前記連結部１３と前記ヘッド部９間の結合も公知の簡単なスナップ式構造などで容易に結合できる構造を取るようにすることが好ましい。
【００２０】
前記ヘッド部９は、中央に前記ポール３が貫くように前記本体部５の中空部２１に連通する挿入ホール１９が備えられ、前記挿入ホール１９の周辺部２３が前記本体部５の上側面と向い合って前記シートカバー１を上下方向に圧搾するように形成され、前記本体部５には前記上側面が形成されて、前記ヘッド部９の周辺部２３との間に前記シートカバー１を圧搾するフランジ部２５が備えられ、前記フランジ部２５から下側に伸びて前記ポール３の直線スライド運動をガイドするガイド部２７が一体に備えられた構造である。
【００２１】
したがって、前記ヘッド部９及び連結部１３が前記本体部５に結合された状態では、前述したように前記ヘッド部９と本体部５の間に前記シートカバー１が圧搾状態で挟まれて外観が美麗であり、このような状態は前記締結フック１５が前記フック孔１７から抜ける前には持続的に堅固に維持されるので、車両の長期間使用にも常にシートカバー１とポールガイド１１との緊密な組立状態が安定に維持される。
【００２２】
一方、前記本体部５のフランジ部２５は、図３に例示したように、前記ガイド部２７に対して斜めに傾いた上側面をなすように構成できる。
【００２３】
これは、シートバッグの上下方向角度とヘッドレストの上下方向移動角度を変えようとするか、その他にシートバッグの内部に前記本体部５の設置のための空間確保とヘッドレストの上下方向移動角度の間の設計的な融通性を確保するのに役立たせることができる。
【００２４】
以上、本発明を特定の実施例に基づいて図示して説明したが、特許請求範囲によって決められる本発明の技術思想を逸脱しない範囲で、本発明を多様に変形及び修正が可能であることは当該技術分野の当業者にとって明らかである。
【産業上の利用可能性】
【００２５】
本発明は、車両のシートに設置されてヘッドレストを支持しガイドするポールガイドの分野に適用可能である。
【符号の説明】
【００２６】
１    シートカバー
３    ポール
５    本体部
７    高さ調節レバー
９    ヘッド部
１１    ポールガイド
１３    連結部
１５    締結フック
１７    フック孔
１９    挿入ホール
２１    中空部
２３    周辺部
２５    フランジ部
２７    ガイド部
【図１】
2014051262.tif 000003
【図２】
2014051262.tif 000004
【図３】
2014051262.tif 000005
【図４】
2014051262.tif 000006